(57)【特許請求の範囲】
【請求項１】
棒状体を収納する凹部を有するブリスターカバーと、
前記凹部の開口側の開封口を閉蓋し、開形状の輪郭線に沿って設けられたミシン目と、前記輪郭線の端部同士を結ぶ折曲部とを有する台紙とを備え、
前記ミシン目を切断することにより台紙面から立ち上がる折曲片を、前記折曲部を支点として回動させて前記開封口を開閉可能とする包装用容器であって、
前記折曲部を、前記凹部に収納された棒状体の長手方向端縁よりも、棒状体の長手方向中心側に対応するように配置し、
前記折曲片は、本体部と、つまみ部とからなり、前記台紙は、前記ミシン目の一部を切断するための押圧部を備え、前記つまみ部が前記押圧部と連続し、かつ、押圧部側に突出して配置され、
前記つまみ部の外縁となる輪郭線から、前記本体部の外縁となる輪郭線にかけて延びる輪郭線がアール状をなし、該アール状の輪郭線の曲率半径が最も小さい領域が切り込まれていることを特徴とする包装用容器。
【請求項２】
前記押圧部とつまみ部との境界が、略直線状であることを特徴とする請求項１に記載の包装用容器。
【請求項３】
前記ミシン目は、切れ目又は長穴が間隔を空けて連続に設けられたものであって、前記領域において、隣り合う切れ目又は長穴間にできる繋がり部分の間隔が、その他の領域よりも大きいことを特徴とする請求項１又は請求項２に記載の包装用容器。
【請求項４】
前記押圧部と前記ブリスターカバーとの間には、前記棒状体が配置されないことを特徴とする請求項１〜請求項３のいずれか１項に記載の包装用容器。
【請求項５】
前記押圧部と前記ブリスターカバーとの間に、ブリスターカバーと空隙を有する状態で前記棒状体を配置することを特徴とする請求項１〜請求項３のいずれか１項に記載の包装用容器。
【発明の詳細な説明】
【技術分野】
【０００１】
本発明は、ブリスターカバーと台紙とを備えた包装用容器に関する。
【背景技術】
【０００２】
物品を包装する包装用容器として、衛生面や陳列の利便性等からブリスター容器が利用されることがある（特許文献１）。ブリスター容器は、物品が収納される凹部を有するブリスターカバーと、凹部の開口側の開封口を閉塞する台紙とからなる。台紙には、凹部に対応する位置にミシン目が設けられており、ミシン目を切断することにより開封口を開口して、凹部に収納された物品を取り出すことができる。
【先行技術文献】
【特許文献】
【０００３】
【特許文献１】特開２００２−１２８１４０号公報
【発明の概要】
【発明が解決しようとする課題】
【０００４】
凹部に収納される物品が棒状体である場合は、ミシン目の切断途中で棒状体が開封口からこぼれ落ちやすい。また、棒状体と台紙との間に隙間がない場合には、棒状体が台紙に当接することによりミシン目を切断しにくく、開封しにくいという問題があった。さらには、開封口の形状（つまり、ミシン目が設けられるラインにて形成される形状）によっては開封がしにくく、ミシン目の切断途中で台紙の破れ等が生じる上、余計な力がかかってスムーズに開封できないという問題や、これによって台紙だけでなく包装用容器全体に不要な力と振動が加わり、棒状体がこぼれ落ちやすいという問題もあった。
【０００５】
そこで、本発明は斯かる実情に鑑み、開封時に開封しやすく、開封時や棒状体の使用時に開封口を開口させる際、収納された棒状体がこぼれ落ちにくい包装用容器を提供しようとするものである。
【課題を解決するための手段】
【０００６】
本発明の包装用容器は、棒状体を収納する凹部を有するブリスターカバーと、前記凹部の開口側の開封口を閉蓋し、開形状の輪郭線に沿って設けられたミシン目と、前記輪郭線の端部同士を結ぶ折曲部とを有する台紙とを備え、前記ミシン目を切断することにより台紙面から立ち上がる折曲片を、前記折曲部を支点として回動させて前記開封口を開閉可能とする包装用容器であって、前記折曲部を、前記凹部に収納された棒状体の長手方向端縁よりも、棒状体の長手方向中心側に対応するように配置したものである。
【０００７】
本発明の包装用容器によれば、折曲部は、凹部に収納された棒状体の長手方向端縁よりも、棒状体の長手方向中心側に対応するように配置されているため、棒状体の長手方向端部が、折曲部に当接又は近接することによって、棒状体が凹部内に留まるように固定される。これにより、開封時や棒状体の使用時に開封口を開口させる際、凹部に収納された棒状体はこぼれ落ちにくく、しかも、取り出しやすいものとなる。
【０００８】
前記構成において、前記折曲片は、本体部と、つまみ部とからなり、前記台紙は、前記ミシン目の一部を切断するための押圧部を備え、前記つまみ部が前記押圧部と連続し、かつ、押圧部側に突出して配置されたものとしてもよい。この場合、前記押圧部とつまみ部との境界を略直線状としてもよい。
【０００９】
つまみ部は押圧部側に突出しているため、つまみ部を引っ張ってミシン目を切断しながら開封すると、輪郭線に沿ってミシン目を切断しやすく、輪郭線以外の部分が破れにくくなる。また、ミシン目の切断に必要な力以外に余分な力は不要となるため、台紙や棒状体に余計な力がかかることがなく、棒状体のこぼれ落ちを防止することができる。さらに、前記押圧部とつまみ部との境界を略直線状とした場合、押圧部とつまみ部との境界は切断しやすいものとなる。
【００１０】
前記構成において、前記つまみ部の外縁となる輪郭線から、前記本体部の外縁となる輪郭線にかけて延びる輪郭線がアール状をなし、該アール状の輪郭線の曲率半径が最も小さい領域が切り込まれているようにしてもよい。この場合、前記ミシン目は、切れ目又は長穴が間隔を空けて連続に設けられたものであって、前記領域において、隣り合う切れ目又は長穴間にできる繋がり部分の間隔が、その他の領域よりも大きいものとしてもよい。
【００１１】
輪郭線がアール状となる箇所では、輪郭線に沿ってミシン目を切断しにくく、特に、曲率半径が最も小さい領域では、輪郭線に沿った切断が難しいため台紙が破れることがある。前記のような構成とすることで、曲率半径が最も小さい領域では、折曲片と、それ以外の台紙部分とが予め切り離されている。これにより、開封時に、この領域でミシン目を切断する必要がなくなるため、切断の失敗による台紙の破れが生じることがなく、台紙の破れに起因し、台紙及び包装用容器全体に不要な力や振動が加わることによる棒状体のこぼれ落ちを防止することができる。
【００１２】
前記構成において、前記押圧部と前記ブリスターカバーとの間には、前記棒状体が配置されないようにしてもよい。また、前記押圧部と前記ブリスターカバーとの間に、ブリスターカバーと空隙を有する状態で前記棒状体を配置するようにしてもよい。
【００１３】
前記構成とすることで、押圧部とブリスターカバーとの間に、棒状体が隙間なく配置されることがない。すなわち、押圧部を押圧する際には、押圧部をブリスターカバー側に押し込むことができる空間を確保することができるため、押圧しやすいものとなる。さらには、この空間に指を入れることができて、つまみ部は引っ張りやすいものとなる。これにより、つまみ部を引っ張る際に、収納された棒状体が動くことなく収納状態を安定して維持することができ、棒状体のこぼれ落ちを防止することができる。
【００１４】
前記構成において、前記開封口を閉塞したときに、切断されたミシン目の一部又は全部と前記ブリスターカバーとの間には、前記棒状体が配置されないようにしてもよい。また、前記開封口を閉塞したときに、切断されたミシン目の一部又は全部と前記ブリスターカバーとの間に、ブリスターカバーと空隙を有する状態で前記棒状体を配置するようにしてもよい。
【００１５】
前記構成とすることで、切断されたミシン目の一部又は全部とブリスターカバーとの間に、棒状体が隙間なく配置されることがない。このため、ミシン目を切断して折曲片を形成した後に、折曲片を、台紙面よりもブリスターカバー側に潜り込ませることができる空間を確保することができ、閉蓋しやすくなる。これにより、折曲片が不用意に立ち上がり開口することを、ミシン目の切断後に生じる突起によって防ぐこともでき、包装用容器は再封性に優れるものとなって携帯性に優れ、携帯中や保管中に棒状体がこぼれ落ちたり、棒状体が凹部内で乱雑な配置になったりすることを防止できる。
【発明の効果】
【００１６】
本発明の包装用容器は、開封時に開封しやすく、開封時や棒状体の使用時に開封口を開口させる際、収納された棒状体がこぼれ落ちにくいものとなる。
【図面の簡単な説明】
【００１７】
【図１】本発明の包装用容器の正面斜視図である。
【図２】本発明の包装用容器の背面透視図である。
【図３】輪郭線の開形状を示す図である。
【図４】本発明の開封された包装用容器を裏側から見た斜視図であり、（ａ）は開封口を閉口した状態、（ｂ）は開封口を開口した状態である。
【図５】本発明の包装用容器の押圧部を押圧した状態の一部拡大断面図であり、（ａ）は押圧部とブリスターカバーとの間に棒状体を配置しない図、（ｂ）は押圧部とブリスターカバーとの間に棒状体を配置した図である。
【発明を実施するための形態】
【００１８】
以下、本発明の実施の形態を図１〜図５に基づいて説明する。
【００１９】
本発明の包装用容器は、図１に示すように、例えば歯間ブラシ等の棒状体１ａ、１ｂを収納するものである。包装用容器は、棒状体１ａ、１ｂを収納するブリスターカバー３と、ブリスターカバー３の開封口５（図４（ｂ）参照）を閉蓋する台紙４とから構成されている。
【００２０】
ブリスターカバー３は、例えば、ポリエチレンテレフタレート、ポリ塩化ビニル、ポリプロピレン等の熱可塑性樹脂を成形したものであり、図１に示すように、凹部２と、凹部２と一体的に設けられたフランジ部６とを備えている。凹部２は、棒状体１ａ、１ｂを収納する空間となり、本実施形態では１本の棒状体１ａと、５本の棒状体１ｂがまとまった棒状体群とを収納している。凹部２の開口側は、図４（ｂ）に示すように包装用容器の開封口５となり、この開封口５を開口することにより、凹部２に収納された棒状体１ａ、１ｂを取り出したり、棒状体１ａ、１ｂを凹部２に収納したりすることができる。フランジ部６はブリスターカバー３の外縁部となり、凹部２の全周にわたって形成されている。フランジ部６は、例えば接着剤や熱融着等により台紙４に貼着されており、これによって凹部２が密封される。
【００２１】
台紙４は、例えば四隅が面取りされた長方形の厚紙にて形成されており、一方の短辺の略中央部には、この包装用容器をフック等に引っ掛けるための円形の吊り下げ孔７が設けられている。
【００２２】
台紙４の凹部２に対応する位置、すなわち、ブリスターカバー３を台紙４に貼着した状態で凹部２に対面する台紙位置には、図２に示すように、後に詳述するミシン目８が輪郭線１０に沿って設けられている。ここで、ミシン目８とは、切れ目又は長穴が間隔を空けて連続に設けられたものをいう。図２のミシン目８において、線のある箇所が切れ目又は長穴のある箇所であり、線のない箇所が切れ目又は長穴がない箇所である。輪郭線１０の端部同士を結ぶ線分上には、ミシン目８を設けていない。この線分は、後述する折曲片９の回動支点となる折曲部１１となる。
【００２３】
ミシン目８を切断すると、図４（ｂ）に示すように、ミシン目８で囲まれた台紙部分は折曲片９として台紙面１４から立ち上がり、開封される。折曲片９は、折曲部１１を支点として回動することができ、図４（ｂ）に示すように、折曲片９を台紙面１４から立ち上がらせると開封口５が開口し、図４（ａ）に示すように、折曲片９を台紙面１４にまで伏せると開封口５が閉口する。なお、図４（ａ）は、ミシン目８が切断されている状態を示している。また、本明細書において「開封口５を開口する」とは、ミシン目８が切断されている状態であっても切断されていない状態であっても、折曲片９を台紙面１４から立ち上がらせて開封口５を開口させることを意味し、「開封する」とは、開封口５を開口する場合のうち、ミシン目８を切断して最初に開封口５を開口させることを意味する。
【００２４】
次に、ミシン目８について詳述する。ミシン目８は、図３に示すような開形状２０の輪郭線１０に沿って設けられている。開形状２０とは、図形の輪郭線の一部が繋がっておらず開いた状態となっているものをいう。輪郭線１０は、３本の直線部１０ａ、１０ｂ、１０ｃと、これに垂直な２本の直線部１０ｄ、１０ｅと、２つのアール部１０ｆ、１０ｇとから構成されている。この輪郭線１０にて構成される図形は、直線部１０ａと直線部１０ｃの端部同士が繋がっておらず、開いた状態となっている。
【００２５】
すなわち、ミシン目８は、図２に示すように、輪郭線１０ａ、１０ｂ、１０ｃに沿って夫々設けられ、台紙４の長辺と略平行に延びる第１長手方向部８ａ、第２長手方向部８ｂ及び第３長手方向部８ｃと、輪郭線１０ｄ、１０ｅに沿って夫々設けられ、台紙４の短辺と略平行に延びる第１短手方向部８ｄ及び第２短手方向部８ｅと、輪郭線１０ｆに沿って設けられ、第２長手方向部８ｂと第２短手方向部８ｅとを連結する第１アール部８ｆと、輪郭線１０ｅに沿って設けられ、第２短手方向部８ｅと第３長手方向部８ｃとを連結する第２アール部８ｇとで構成される。ミシン目８は、さらに、第１長手方向部８ａから延在する第１延長部８ｈと、第２長手方向部８ｂから延在する第２延長部８ｉとを有する。
【００２６】
図３の開形状２０は、図４（ａ）（ｂ）に示すように折曲片９の形状となる。折曲片９は、開封口５の大半を覆う略矩形状の本体部１２と、本体部１２から突出して、折曲片９を回動操作するために指先でつまんで保持することができるつまみ部１３とからなる。すなわち、図２に示すように、第１長手方向部８ａ、第２長手方向部８ｂ、及び第１短手方向部８ｄで囲まれた台紙部分がつまみ部１３となる。また、第１長手方向部８ａ、第３長手方向部８ｃ、及び第２短手方向部８ｅで囲まれた台紙部分が本体部１２となる。
【００２７】
また、第１短手方向部８ｄ、第１延長部８ｈ、及び第２延長部８ｉで囲まれた台紙部分が押圧部１６となる。この押圧部１６は、折曲片９を立ち上がらせるために、ミシン目８の一部を切断するものである。すなわち、押圧部１６を押圧すると、第１延長部８ｈ及び第２延長部８ｉとともに、第１短手方向部８ｄが切断され、この第１短手方向部８ｄが、輪郭線１０に沿って設けられるミシン目８の切断開始点となる。
【００２８】
また、押圧部１６とつまみ部１３との境界（つまり、第１短手方向部８ｄ）は、略直線状となっている。ここで、略直線状とは、厳密な直線のみではなく、全体として実質的な直線であるものも含み、例えば、僅かに凹凸がある線や、曲率半径の大きい緩やかな曲線等も含む。これにより、押圧部１６とつまみ部１３との境界は切断しやすいものとなる。
【００２９】
この場合、図５（ａ）に示すように、押圧部１６とブリスターカバー３との間には、棒状体１ａを配置していない。すなわち、棒状体１ａの一方の端部が、つまみ部１３に到達しており、押圧部１６にまで到達していない。このような構成とすることにより、押圧部１６とブリスターカバー３との間に、棒状体１ａが隙間なく配置されることがなくなって、押圧部１６を押圧する際には、押圧部１６をブリスターカバー側に押し込むことができる空間を確保することができる。このため、押圧部１６は押圧しやすいものとなる。さらには、この空間に指を入れることができて、つまみ部１３を引っ張りやすいものとなる。これにより、つまみ部１３を引っ張る際に、凹部２に収納された棒状体１ａが動くことなく収納状態を安定して維持することができて、棒状体１ａ、１ｂのこぼれ落ちを防止することができる。
【００３０】
図２に示すように、つまみ部１３は押圧部１６と連続しており、押圧部側に突出して配置されている。これにより、つまみ部１３を引っ張ってミシン目８を切断しながら開封すると、輪郭線１０に沿ってミシン目８を切断しやすく、輪郭線１０以外の台紙部分が破れにくくなる。また、ミシン目８の切断に必要な力以外の余分な力は不要となるため、台紙４や棒状体１ａ、１ｂに余計な力がかかることがなく、棒状体１ａ、１ｂのこぼれ落ちを防止したり、収納状態を維持しながら開封したりすることができる。
【００３１】
第１短手方向部８ｄから、さらにミシン目８を切断する際、つまみ部１３の外縁となる輪郭線から本体部の外縁となる輪郭線にかけて延びるアール状の輪郭線である第１アール部８ｆでは輪郭線１０に沿ってミシン目を切断しにくく、その中でも第１アール部８ｆの曲率半径が最も小さい領域１７は、輪郭線１０に沿った切断が特に難しいため、台紙が破れることがある。この領域１７では、隣り合う切れ目又は長穴間にできる繋がり部分の間隔が、その他の領域よりも大きくなっており、この領域１７では、台紙４が切り込まれている。すなわち、この領域１７では、折曲片９と、それ以外の台紙部分とが予め切り離されている。これにより、開封時に、この領域１７でミシン目８を切断する必要がなくなるため、切断の失敗による台紙４の破れが生じることがない。このため、台紙４の破れや台紙４を破らないよう不要な力をかけて開封することに起因し、台紙４及び包装用容器全体に不要な力や振動が加わることによって棒状体１ａ、１ｂがこぼれ落ちたり包装用容器内で乱雑な配置になったりすることを防止することができる。
【００３２】
折曲部１１は、凹部２に収納された棒状体群の棒状体１ｂの長手方向端縁よりも、棒状体１ｂの長手方向中心側に対応するように配置している。すなわち、収納状態では、棒状体１ｂの一方の長手方向端縁（本実施形態では、歯間ブラシの持ち手側の端縁）は、折曲部１１から、本体部１２と反対側に突出する。これにより、棒状体１ｂの長手方向端部が、折曲部１１に当接または近接することによって、棒状体１ｂが凹部内に留まるように固定される。なお、棒状体１ａは、棒状体群から離間して配置されており、この棒状体１ａは、折曲部１１に当接又は近接していない。折曲部１１をこのように配置することによって、開封時や棒状体の使用時に開封口５を開口させる際、凹部２に収納された棒状体１ａ、１ｂ（特に、棒状体１ｂ）はこぼれ落ちにくく、しかも、取り出しやすいものとなる。
【００３３】
棒状体群の棒状体１ｂの、折曲部１１から本体部１２と反対側に突出する側の長手方向端縁（本実施形態では、歯間ブラシの持ち手側の端縁）から折曲部１１までの長さは、棒状体１ｂの長手方向長さの３５％以下とするのが好ましく、３０％以下とするのがより好ましい。これにより、棒状体１ｂを取り出し易いものとなる。また、前記長さは、棒状体１ｂの長手方向長さの５％以上とするのが好ましい。これにより、棒状体１ｂのこぼれ落ちを安定して防止することができる。さらに、棒状体１ｂの取り出し易さの観点から、棒状体１ｂは、図２に示すように、折曲部１１と垂直な方向に対して傾きを有して収納されているのが好ましい。
【００３４】
開封口５を閉塞したときに、ミシン目８とブリスターカバー３との間には、棒状体１ａ、１ｂは配置しないようにしている。すなわち、図４（ａ）に示すように、折曲片９を台紙面１４に伏せた状態では、ミシン目８と棒状体１ａ、１ｂとが重ならないようにしている。これにより、切断されたミシン目８とブリスターカバー３との間に、棒状体１ａ、１ｂが隙間なく配置されることがない。このため、ミシン目８を切断して開封した後に、折曲片９を、台紙面１４よりもブリスターカバー側に潜り込ませることができる空間を確保することができ、閉蓋しやすくなる。これにより、折曲片９が不用意に立ち上がり開口することを、ミシン目８の切断後に生じる突起によって防ぐこともでき、包装用容器は再封性に優れるものとなって携帯性に優れ、携帯中や保管中に棒状体がこぼれ落ちたり、棒状体１ａ、１ｂが凹部内で乱雑な配置になったりすることを防止できる。
【００３５】
以上の構成とすることにより、本発明では、開封時や棒状体の使用時に棒状体１ａ、１ｂがこぼれ落ちることなく、また、開封時に開封しやすいものとなる。
【００３６】
本発明の他の実施形態として、図５（ｂ）に示すように、押圧部１６とブリスターカバー３との間に、ブリスターカバー３と空隙を有する状態で棒状体１ａを配置してもよい。すなわち、棒状体１ａの一方の端部が押圧部１６にまで到達しており、さらに棒状体１ａとブリスターカバー３との間には空隙を有している。このような構成とすることにより、押圧部１６を押圧する際には、押圧部１６をブリスターカバー側に押し込むことができる空間を確保することができるため、押圧しやすいものとなる。
【００３７】
また、開封口５を閉塞したときに、切断されたミシン目８の一部又は全部とブリスターカバーとの間に、ブリスターカバー３と空隙を有する状態で棒状体１ａ、１ｂを配置することができる。このような構成とすることにより、ミシン目８を切断して開封した後に、折曲片９を、台紙面１４よりもブリスターカバー側に潜り込ませることができる空間を確保することができて、閉蓋しやすくなる。
【００３８】
以上、本発明の実施形態につき説明したが、本発明は前記実施形態に限定されることなく種々の変形が可能であって、例えば、凹部２の形状や台紙４の形状は、どのような形状であってもよい。棒状体として、実施形態の歯間ブラシは一例であって、他のものであってもよく、また、棒状体とともに、棒状体以外のものが収納されていてもよい。棒状体１ａと棒状体１ｂとは同一のものであっても、異なる形態のものであってもよい。折曲片１１の形状（つまり、図３に示すような開形状）としては、実施形態のものに限られず、つまみ部１３や本体部１２は、夫々三角形以上の多角形、円形や楕円形、規則性を有さない形状であってもよい。
【００３９】
つまみ部１３と本体部１２との配置関係は、図２のものに限られない。すなわち、図２に示すものは、つまみ部１３の外縁と本体部１２の外縁とが図面上左側において同一直線上に位置しているが、つまみ部１３を図面上右側にずらして、本体部１２の上縁の略中央部からつまみ部１３が突出するように配置してもよい。この場合、つまみ部の外縁となる輪郭線から本体部の外縁となる輪郭線にかけて延びるアール状の輪郭線は２か所形成される。この場合、両方のアール状の輪郭線において、曲率半径が最も小さい領域が切り込まれるようにする。ただし、容易に開封できるという観点から、アール状の輪郭線は少ない方が好ましいため、つまみ部１３の外縁と本体部１２の外縁とがどちらか一方側で同一直線上に位置している方が好ましい。
【００４０】
押圧部１６は一箇所に限られず複数あってもよく、この場合は折曲片９の本体部１２に連続する位置に別の押圧部を設けることができる。実施形態では、開封口５を閉塞したときに、切断されたミシン目８の全部の箇所において、ブリスターカバーとの間に棒状体１ａ、１ｂが配置されない構成としたが、切断されたミシン目８の一部の箇所において、ブリスターカバーとの間に棒状体１ａ、１ｂが配置されないようにし、その他の切断されたミシン目８には、棒状体１ａ、１ｂが重なるように配置してもよい。
【符号の説明】
【００４１】
１ａ、１ｂ    棒状体
２     凹部
３     ブリスターカバー
４     台紙
５     開封口
８     ミシン目
９     折曲片
１０   輪郭線
１１   折曲部
１２   本体部
１３   つまみ部
１４   台紙面
１６   押圧部
１７   領域
【図１】
0006407628.tif 000002
【図２】
0006407628.tif 000003
【図３】
0006407628.tif 000004
【図４】
0006407628.tif 000005
【図５】
0006407628.tif 000006